(57)【要約】      （修正有）【課題】地表に近い所でも使用可能な集水管、または、外圧強度の高い排水管の金型構造を提供する。【解決手段】本管は樹脂製管で、管本体の外内圧強度を上げるため、管外側に円環リブ溝を配置し、管軸に平行な数本の縦直線リブ溝を配置し、前記リブ溝配置をスパイラル形状、三角形形状、６角形形状等とし、その交点にはＲをつけて溶着７するようにした金型構造。円環リブ溝間に長穴を設けて集水管とする、あるいは長穴を設けずに排水管とするために、ねじ穴、ねじ加工したもので容易に交換可能な穴部品を備えたことを特徴とする。【選択図】図１
0003188491.tif 000002
【実用新案登録請求の範囲】
【請求項１】
本管は樹脂管で外側に円環のリブと本管軸に平行な数本の直線リブ又は、それに準ずるリブ（例えばスパイラル状、６角形等）を形成し、その２者が互いに接触点で溶着して、管本体の肉厚が薄くても外内圧強度に耐える非常に強い管である事。
【請求項２】
本管は集水管としての長穴明き管とし、金型交換せずに、型取り付けそのままで内部部品交換のみにて穴なし構造の排水管構造を形成、近いサイズの管であれば同様な作業で使用可能な管構造となり、連結部溶着成形と伸びるための成形部分を同時に形成、所定の長さの成形品を形成させる金型構造である。尚本管の中心部分（排水等の流れ部分）の形状は必要に応じ、通常円形であるが、矩形、６角形、卵形等である。
【考案の詳細な説明】
【技術分野】
【０００１】地震時の液状化現象対策管、地滑り対策管、豪雨対策排水管、大量雪融解水排水、地熱利用冷暖房管（リブにより丸管に比較して２．６倍の熱伝導効果がある）、地熱による屋根雪融解管（雪下ろし不要）管、マンホ−ル周囲に４角形に設置し浮上防止効果等として利用可能である。
特に豪雨排水工事には重いコンクリ−トと重機使用での施工コストは３０〜５０％コスト低減可能である。
【背景技術】
【０００２】平成２３年３月１１日東北大地震では多くの液状化現象、地すべりが発生し、また多くのマンホ−ル浮上が起こり多大な損害を被った、その主原因は地中の水の吹き出しであるが、単に水が噴出したからではない。                            詳細は参考資料参照
このような事実を背景に考案した集水管であり、排水管等である。
【先行技術文献】
【特許技術文献】
【０００３】１．集水管、排水管
１）現在は押出成形法使用のため集水管、排水管で円環補強はあっても、これを結ぶ管軸に平行な又はそれに準ずる補強リブ形状は存在しない。
２）この集水管、排水管いずれも射出成形法で成形するので押出品より強度が強く衝撃値が大きい。
３）押出法で、このような成形管は成形できないし、現在存在しない。
４）豪雨対策管、大量融雪対策管、形状本考案と同一のものは存在しない。
５）冷暖房管では外面にリブのついたものは存在しない。
【考案の概要】
【０００４】集水管が中心の事項なので、この管について説明すると次のようになる。管は１例として材質硬質ＰＥ（ポリエチレン）として説明する
１）円環、管軸に平行なリブ付管の意匠登録（登録第１４３０２６６）はすでに登録済み。
２）本管は射出成形法で能率よく成形する。押出成形法では円環リブは出来ても、強度を上げるための円環リブを補強する成形は出来ない。  従って圧縮強度は同じサイズで比較すれば６〜８倍低い（リブの高さに関係あっても、それを補強する円環リブがなければ高さの効果を出し得ない）
３）長くするための接蝕面溶着と同時に同じ形状を成形でき長尺となる、また短くパッキンを入れることによって長尺にすることも出来る。パッキンで繋ぐことは耐地震対策になる。
４）寸法はＰＶＣのＶＵ管に合わせてあるので、ＰＶＣ管、継手を利用することも出来る。（排水管として）
５）本管はパ−テイングライン（金型のあわせ面）は、管の中心軸を成形機の中心軸と直角方向に配置する。
６）射出成形によって、長尺成形品をアンダ−カット（通常の方法では成形品を型より取り出せない部分）なしに成形できるし、管といえば押出成形を連想するが、成形圧力が大きいので、その分、密度が上がり強度の高いものを成形できる。
７）しかし押出成形のように連続的には出来ないが、間欠連続で成形品を得る。
８）管は図１に示すように円環リブ、それと直角に軸心に平行に縦リブが形成されるため強度の高い管を容易に成形できる。
９）押出成形の丸管ＰＶＣに比較して硬質ＰＥリブ付管はＰＶＣ肉厚は薄く、圧縮強度は高い。
従って、土かぶりも小さく出来る
穴付きＰＶＣ管が砕石投入の際、割れることがあるが、硬質ＰＥではシャルピ−衝撃値は“割れないか”１６程度で極めて高い。    従って硬質ＰＥ管が割れることはない。
１０）射出成形では円環リブの高さは容易に高く出来、管軸平行リブも同じく高く出来、両者が完全に結合している、更に材質密度が３０％軽いので、値段も安くなる。
１１）液状現象の液は水＋泥であるので集水管の穴は長穴とし、流入しやすい。
１２）噴出した液は２．５〜３ｍ角、深さ０．３〜０．５ｍの沈澱槽で沈殿させて、その上澄水を雨水管に流す。
１３）耐薬品性（特に硫酸Ｈ２ＳＯ４）等には硬質ＰＥは問題ない、耐候性問題にはカーボンを２％入れる（電線管に使用している、この件は国で規定されている）。
１４）射出成形法ではウエルドライン（流れの合わせの線）が出るが、これは原料の入るところゲート位置で解消出来る。（応力の掛からない処にもっていく）。
１５）集水管の長穴のないのが排水管、従って金型はそのまま部品交換で排水管金型構造にする。
【考案が解決しようとした課題】
【０００５】１）圧縮強度を強くすること、リブ形状と材質で、ＰＶＣ管の６〜８倍に出来た。
２）押出成形では円環リブは２５ｍｍ程度が限界であるが、射出成形を用い、それ以上に高く
３）管軸に平行なリブを入れること。
４）縦リブが横方向に張り出してるため液状化の際の浮き上がり防止に貢献できる。
５）型代を安価にするため、アンダ−カットのないこと。円環リブ問題なし、管軸に平行な外リブは、例えば６角形、スパイラル形状リブ等いずれもアンダ−カットである
６）強度、衝撃、耐薬品性、５０年以上使用可能なことの条件に合う材質を選定すること、総合的に判断し硬質ＰＥとする。  色は黒色とする。
【産業上の利用可能性】
【０００６】圧縮強度は強く（土かむり０．３ｍ、ＰＶＣ穴付管は０．５ｍ、且つ砕石投入で割れる）、耐衝撃性、成形簡単、安価である事より利用可能性は大いにあると思う。
【施工法】
【０００７】一例として豪雨対策に集水管を施工の場合の説明。
１）土かぶり０．３ｍ以上となるような溝穴を掘る。
２）４号砕石を入れ、対象穴の中央で管軸に平行リブを上面にリブを入れる。
３）下部の管リブの間に砕石が入り込むように前後に動かして完全に砕石がリブ間に入るようにする。    下部の砕石深さはリブ下端から０．１ｍ以上とする。
４）上記完了後両サイド０．１ｍ、および上面には４号砕石を０．３ｍ以上入れる。
５）その上は解放そのまま、又は透水性アスハルトを敷きつめる。
６）現在行われている、豪雨対策コンクリ−トブロックを重機を使って行うのに比較すると３０〜５０％コスト低減はかれる。
【図面の簡単な説明】
【０００８】
【図１】第１成形品１、第２成形品２の連結状態を示す。管中心線上部（斜線部）は中心からの断面図、下面は横側面図を示す。  左側は第１成形品１を示す、成形した第１成形品のＡ部を第２成形品２のＢ部に移動して型のキャビテ−に挿入して型を閉め、再度第１成形品部を成形すると、連結溶着部と第１成形品部１が再度同時に成形される。
【図２】短編部品を示す。（パッキンを入れて繋ぐ、例えばマンホ−ル角型に囲む場合等に使用）
【符号の説明】１．第１成形品                    ２．第２成形品
３．管右側面図                    ４．管左側面図
５．パッキン取り付け捜入部        ６．捜入凹部（スライド可能耐震性向上）
７．第１、第２成形品溶着部
【図１】
0003188491.tif 000003
【図２】
0003188491.tif 000004
【手続補正書】
【提出日】平成25年8月16日(2013.8.16)
【手続補正１】
【補正対象書類名】実用新案登録請求の範囲
【補正対象項目名】全文
【補正方法】変更
【補正の内容】
【実用新案登録請求の範囲】
【請求項１】
本管は樹脂製管で外側に管本体の外内圧強度を上げるため、管外側に円環リブ溝を配置すると同じ目的で管縦に平行な数本の外側直線リブ用溝を配置する、これと同じ目的でリブ溝配置をスパイラル形状、三角形形状、６角形形状等を配置することもある、その交点にはＲを付けて溶着するようにし、管本体の肉厚が薄くても外内圧に耐える強い管が成形出来るようにする金型構造。
【請求項２】
長穴付管を集水管といい、長穴なしを排水管という、集水管を排水管にするには、金型を交換するのでなく、成形機に着けたまま、型を開き、穴部品を交換すればよく、簡単なねじ穴、ねじ加工したもので容易に交換する金型構造。
【手続補正書】
【提出日】平成25年10月31日(2013.10.31)
【手続補正１】
【補正対象書類名】実用新案登録請求の範囲
【補正対象項目名】全文
【補正方法】変更
【補正の内容】
【実用新案登録請求の範囲】
【請求項１】
本管は樹脂製管で、管本体の外内圧強度を上げるため、管外側に円環リブ溝を配置し、管軸に平行な数本の縦直線リブ溝を配置し、前記リブ溝配置をスパイラル形状、三角形形状、６角形形状等とし、その交点にはＲをつけて溶着するようにしたことを特徴とする金型構造。
【請求項２】
円環リブ溝間に長穴を設けて集水管とする、あるいは長穴を設けずに排水管とするために、ねじ穴、ねじ加工したもので容易に交換可能な穴部品を備えたことを特徴とする、請求項１に記載の金型構造。